(57)【特許請求の範囲】
【請求項１】
カラオケ演奏音信号または歌唱音声信号を調整するための調整データを発生する調整操作子と、
センタと通信し、前記カラオケ演奏音信号または歌唱音声信号の調整量を補正する複数の補正データのうち、カラオケ装置の設置場所に対応する補正データを受信する通信手段と、
前記調整データを前記補正データで補正したデータを用いて前記カラオケ演奏音信号または歌唱音声信号を調整する調整手段と、
前記調整操作子が発生する調整データを蓄積記録するログ記録手段と、
該ログ記録手段が記録した内容を前記センタに送信するログ送信手段と、
を備えたことを特徴とするカラオケ装置。
【請求項２】
カラオケ演奏音信号または歌唱音声信号を調整するための調整データを発生する調整操作子と、
前記カラオケ演奏音信号または歌唱音声信号の調整量を補正する補正データを記憶する補正データ記憶手段と、
前記調整データを前記補正データで補正したデータを用いて前記カラオケ演奏音信号または歌唱音声信号を調整する調整手段と、
前記調整操作子が発生する調整データを蓄積記録するログ記録手段と、
該ログ記録手段の記録内容に基づいて前記補正データを割り出し、前記補正データ記憶手段の記憶内容を更新する補正データ更新手段と、
を備えたことを特徴とするカラオケ装置。
【発明の詳細な説明】
【０００１】
【発明の属する技術分野】
この発明は、カラオケ演奏の音量やエコーレベルなど利用者がボリュームで調整できる設定内容のイニシャル値をオンラインで変更できるカラオケ装置に関する。
【０００２】
【従来の技術】
カラオケ装置は、マイクから入力される歌唱音声信号とカラオケ演奏音をアンプで増幅しミキシングしたのちスピーカから出力する。この増幅やミキシングをするミキシングアンプには、ボリュームが設けられており、歌唱音声、演奏音の音量や音質、エコーの大きさなどを自分の好みにあうように調整することができる。
【０００３】
このボリュームは、通常センタクリックを有するものが用いられており、センタクリックの位置に摘まみを設定しておけば、標準的で無難な設定になるような調整がなされている。
【０００４】
【発明が解決しようとする課題】
しかし、カラオケ装置をどこに設置する場合でも標準的で無難な設定が全て同じわけではなく、設置される場所によって異なっている。すなわち、地理的な地域地域（たとえば関東・関西）や設置形態（カラオケボックス，酒場など）によって設定の好みが異なり、また、設置場所の広さなどによって好ましい設定値が異なるものである。たとえば、関西地方では低音を強調した音質が好まれ、関東地方ではヌケの良い音質が好まれるなどである。また、利用者の好みも時間とともに変化してゆく。
【０００５】
そこで、従来は、カラオケ装置を設置するときに係員がその地域，設置形態などの条件に合わせて上記ボリュームをセンタクリックに調整したときの音量，エコーなどの設定がベストになるように調整していた。
【０００６】
このため、係員の作業が面倒になる問題点があり、時間とともに変化してゆく利用者の好みに対応するためには、係員が逐次設置場所に赴いて設定しなおしする必要があり面倒であった。
【０００７】
この発明は、オンラインでアンプの標準的な設定内容を変更できるカラオケ装置を提供することを目的とする。
【０００８】
【課題を解決するための手段】
この出願の請求項１の発明は、カラオケ演奏音信号または歌唱音声信号を調整するための調整データを発生する調整操作子と、センタと通信し、前記カラオケ演奏音信号または歌唱音声信号の調整量を補正する複数の補正データのうち、カラオケ装置の設置場所に対応する補正データを受信する通信手段と、前記調整データを前記補正データで補正したデータを用いて前記カラオケ演奏音信号または歌唱音声信号を調整する調整手段と、前記調整操作子が発生する調整データを蓄積記録するログ記録手段と、該ログ記録手段が記録した内容を前記センタに送信するログ送信手段と、を備えたことを特徴とする。
【００１０】
この出願の請求項２の発明は、カラオケ演奏音信号または歌唱音声信号を調整するための調整データを発生する調整操作子と、前記カラオケ演奏音信号または歌唱音声信号の調整量を補正する補正データを記憶する補正データ記憶手段と、前記調整データを前記補正データで補正したデータを用いて前記カラオケ演奏音信号または歌唱音声信号を調整する調整手段と、前記調整操作子が発生する調整データを蓄積記録するログ記録手段と、該ログ記録手段の記録内容に基づいて前記補正データを割り出し、前記補正データ記憶手段の記憶内容を更新する補正データ更新手段と、を備えたことを特徴とする。
【００１１】
この発明のカラオケ装置では、歌唱や演奏の音量やエコーレベルがボリュームなどの調整操作子を用いて利用者に調整可能になっている。調整操作子は利用者が操作しない場合には標準的な状態に設定されており、この状態で標準的な音量やエコーレベルになるような補正データがセンタからダウンロードされる。この補正データをカラオケ装置の設置場所（地域，設置形態など）に合わせたものにすることにより、カラオケ装置がどのような場所に設置されても、そのままの調整状態で最適のカラオケ歌唱をすることができるようになる。
【００１２】
また、この発明のカラオケ装置では、前記調整操作子の調整の状態を示す調整データをログに記録しておき、これをセンタに送信する。調整データはたとえば各曲毎に記録すればよい。センタにおいては、この調整データのログを読み取ることにより、好みの変化や先に設定した補正データのずれを割り出すことができ、これに基づいて精度の良い補正データを決定することができる。また、ログをカラオケ装置で分析して独自に補正データを割り出すようにしてもよい。
【００１３】
【発明の実施の形態】
図１はこの発明の実施形態であるカラオケ装置のブロック図である。このカラオケ装置は、カラオケ装置本体１、ミキシングアンプ２、メインアンプ３および背景映像再生装置５のコンポーネントで構成されており、このコンポーネントにスピーカ４、モニタ６、マイク７がケーブルで接続され、さらに赤外線リモコン装置であるコマンダ８が付属している。また、このカラオケ装置は電話回線を介して配信センタ９と接続される。
【００１４】
カラオケ装置全体を制御するＣＰＵ１０には、ＲＯＭ１１，ＲＡＭ１２、ハードディスク１３，通信制御部１４、コマンダ受信部１５，操作部１４、表示部１６、パターン展開部１７、表示制御部２０、カラオケ演奏部２１が接続されているほか、前記コンポーネントを構成する装置であるミキシングアンプ２，背景映像再生装置５も接続されている。前記ミキシングアンプにはメインアンプ３およびマイク７が接続されている。また、表示制御部２０にはモニタ６が接続されている。
【００１５】
ＲＯＭ１１にはこのカラオケ装置を起動するためのプログラムなどが記憶されている。ハードディスク１３にはカラオケ曲を演奏するための楽曲データやシステムプログラム，カラオケ演奏プログラム，ローダなどのプログラムおよび文字パターンデータが記憶されている。また、ハードディスク１３には後述のログを記録するログ記録エリア１３ａが設定されている。上記システムプログラムは、この装置の基本動作を制御するプログラムであり、カラオケ装置の起動時にＲＡＭ１２に読み込まれる。カラオケ演奏プログラムは、楽曲データに基づいてカラオケ演奏部２１を制御するためのプログラムである。ローダは配信センタ９から楽曲データや後述のアンプ設定データをダウンロードするためのプログラムである。文字パターンデータはコード情報として与えられる歌詞，曲名などのテキスト情報などを文字パターンに展開するためのデータである。ＲＡＭ１２には上記プログラムを読み込むエリアや現在演奏中の楽曲データおよび次に演奏する楽曲データを読み出すための楽曲データバッファが設定される。
【００１６】
通信制御部１４は通信回線を介して配信センタ９と交信し、楽曲データ，アンプ設定データなどをダウンロードするためのコントローラである。通信制御部１４はＤＭＡ回路を内蔵しており、ダウンロードされた楽曲データなどをＣＰＵ１０を介さずに直接ハードディスク１３に書き込むことができる。
【００１７】
コマンダ受信部１５はコマンダ８から送られてくる赤外線信号を受信してデータを復元する。コマンダ８は、曲番号を入力するためのテンキーや曲番号をセットするためのセットキーなど複数のキースイッチを備えている。利用者がこれらのキースイッチを操作すると、コマンダ８は操作されたキースイッチに対応する赤外線のコード信号を送信する。コマンダ受信部１５はこの赤外線のコード信号を受信してデータに復元し、ＣＰＵ１０に入力する。ＣＰＵ１０はこのデータに基づいてカラオケ曲の予約やキーチェンジなど種々の処理を実行する。操作部１６はカラオケ装置本体のフロントパネルに設けられており、上記コマンダ８と同様のキースイッチを備えている。表示部１７も上記操作部１６と同様カラオケ装置本体のフロントパネルに設けられており、現在演奏中の曲番号や予約曲数などを表示するＬＥＤマトリクス表示器を含んでいる。
【００１８】
パターン展開部１８はＶＲＡＭを有し、楽曲データの歌詞トラックから読み出された歌詞表示データに基づいて文字パターンを展開して映像信号化する回路部である。背景映像再生装置５は、たとえばＤＶＤチェンジャやＣＤ−ＲＯＭチェンジャで構成されており、ＣＰＵ１０の指示に対応して所定の背景映像を再生する。この背景映像信号および上記パターン展開部１８が生成した文字パターンの映像信号は表示制御部２０に入力される。表示制御部２０は、これらの映像信号の同期をとってスーパーインポーズで合成し、モニタ６に出力する。
【００１９】
カラオケ演奏部２１は、楽曲データに基づいてカラオケ演奏音を発生する回路部であり、音源，ＰＣＭデコーダなどを含んでいる。音源は楽曲データ中の楽音トラックに基づいて楽音を発生する。ＰＣＭデコーダは楽曲データの音声データに基づいてバックコーラスなどの音声を再生する。上記回路で発生されたカラオケ演奏音信号はミキシングアンプ２に入力される。ミキシングアンプ２は、このカラオケ演奏音信号およびマイク７から入力される歌唱音声信号に対して所定の効果を付与したのちミキシングしてメインアンプ３に出力する。メインアンプ３は入力された音声信号を増幅してスピーカ４に出力する。
【００２０】
図２は前記ミキシングアンプ２の概略構成を示す図である。
【００２１】
ミキシングアンプ２はカラオケ演奏部２１から入力されるカラオケ演奏音信号とマイク７から入力される歌唱音声信号を増幅しエコーなどの効果を付与するとともに、これらの信号をミキシングしてメインアンプ３に出力する。歌唱音声信号はアンプ４０で増幅されたのちエコー回路４１に入力され、エコー回路４１でエコー効果を付与されたのちミキサ４４に入力される。一方、カラオケ演奏音信号はアンプ４２で増幅されたのちエコー回路４３に入力され、エコー回路４３でエコー効果を付与されたのちミキサ４４に入力される。ミキサ４４はこれらの信号をミキシングしてアンプ４５に出力する。アンプ４５はこの信号を増幅してメインアンプ３に出力する。ここで、アンプ４０，４２，４５のゲインはゲイン制御信号（歌唱ゲイン制御信号、演奏ゲイン制御信号、マスタゲイン制御信号）で制御される。また、エコー回路４１，４３が付与するエコーの態様は、エコー制御信号によって制御される。エコー制御信号はエコーレベル制御信号（歌唱エコーレベル制御信号、演奏エコーレベル制御信号）およびエコー音質制御信号（歌唱エコー音質制御信号、演奏エコー音質制御信号）からなっている。エコーレベル制御信号は信号のフィードバックレベルを設定する。エコー音質制御信号はフィードバックする信号のフィルタ特性を決定する。このフィルタ特性を調整することにより、エコーの音質を柔らかくしたり華やかにしたりすることができる。
【００２２】
上記歌唱ゲイン制御信号、演奏ゲイン制御信号、歌唱エコーレベル制御信号、演奏エコーレベル制御信号およびマスタゲイン制御信号は、それぞれ加算器３３，３４，３５，３６，３７からアンプ４０，４１、エコー回路４１，４３およびアンプ４５に入力される。また、エコー音質制御信号は、レジスタ３９からエコー回路４１，４３に直接入力される。
【００２３】
ミキシングアンプ２のフロントパネルには、複数個（実施形態では５個）のボリューム３１が設けられている。各ボリューム３１は、それぞれ歌唱ゲイン、演奏ゲイン、歌唱エコーレベル、演奏エコーレベル、マスタゲインに対応している。このボリューム３１は一般的な回転型の可変抵抗器で構成することができ、回転範囲の中央にセンタクリックを有するものを使用する。このボリューム３１の出力（抵抗値）はＡ／Ｄコンバータ３２でディジタルデータに変換されたのち、前記加算器３３，３４，３５，３６，３７に供給される。
【００２４】
一方、ミキシングアンプ２はインタフェース３０を介してカラオケ装置本体１のバスと接続されている。インタフェース３０にはレジスタ３９が接続されている。カラオケ装置本体１が、配信センタ９からアンプ設定データを受信すると、インタフェース３０を介してこのレジスタ３９にそのデータが書き込まれる。アンプ設定データは、歌唱ゲインバイアスデータ、演奏ゲインバイアスデータ、歌唱エコーレベルバイアスデータ、歌唱エコー音質設定データ、演奏エコーレベルバイアスデータ、歌唱エコー音質設定データ、マスタゲインバイアスデータからなっており、このうち、歌唱ゲインバイアスデータ、演奏ゲインバイアスデータ、歌唱エコーレベルバイアスデータ、演奏エコーレベルバイアスデータ、マスタゲインバイアスデータが、それぞれ前記加算器３３，３４，３５，３６，３７に供給される。
【００２５】
したがって、前記アンプ４０，４２，４５には、利用者がボリューム３１を操作して出力される値（調整データ）にレジスタ３９に記憶されているバイアスデータを加算した値がゲイン制御信号として入力される。また、エコー回路４１，４３には、利用者がボリューム３１を操作した調整データにレジスタ３９に記憶されているバイアスデータがエコーレベル制御信号として入力される。一方、エコー回路４１，４３に入力されるエコー音質制御信号は利用者に調整が開放されておらず、配信センタ９からダウンロードされたエコー音質設定データがそのままエコー音質制御信号として出力される。
【００２６】
なお、前記バイアスデータは、正値、負値のいずれをとることもできる。また、ボリューム３１をセンタクリックの位置にしたときの調整データを０とし、バイアスデータをイニシャル状態の制御信号と同じ値になるようにしてもよい。
【００２７】
また、この回路では、調整データとバイアスデータ（アンプ設定データ）とを加算して制御信号に変換しているが、乗算するなど他の変換方法で制御信号を生成してもよい。
【００２８】
そして、上記調整データは、インタフェース３０を介してカラオケ装置本体１に取り込まれる。ＣＰＵ１０はこの調整データをログとして蓄積記録してゆく。記録するタイミングは１曲のカラオケ曲の演奏中に１回（曲の途中）である。このタイミングにこの設定値をチェックすることにより、各曲における調整データを収集することができる。
【００２９】
図３は前記配信センタ９に設定される稼働カラオケ装置登録リストおよびアンプ設定データテーブルの構成を示す図である。同図（Ａ）は稼働カラオケ装置登録リストを示す。このリストは配信センタ９に現在稼働していると通知があったカラオケ装置のＩＤ番号を登録するリストであり、同時にそのカラオケ装置が設置されている地域や設置形態が登録されている。地域は、カラオケ装置が設置されている地理的な場所であり、関西，関東などの区分で登録される。また、設置形態は、カラオケ装置が設置されている店舗の営業形態などを示すデータであり、カラオケボックス，酒場，宴会場などの区分で登録される。
【００３０】
同図（Ｂ）はアンプ設定データテーブルを示す図である。このテーブルには、歌唱ゲインバイアスデータ、演奏ゲインバイアスデータ、歌唱エコーレベルバイアスデータ、歌唱エコー音質設定データ、演奏エコーレベルバイアスデータ、歌唱エコー音質設定データ、マスタゲインバイアスデータからなるアンプ設定データが、上記の地域，設置形態毎に記憶されている。このテーブルの内容は、上記登録されているカラオケ装置から収集されるログを参考にして定期的に更新される。また、上記登録されているカラオケ装置の定期メンテナンス時に更新されたアンプ設定データがダウンロードされ、該カラオケ装置のコントロールアンプ２（レジスタ３９）に設定される。
【００３１】
図４は同カラオケ装置の動作を示すフローチャートである。同図（Ａ）はカラオケ装置が利用される場所に設置されたときの動作を示すフローチャートである。同図（Ｂ）は同カラオケ装置がカラオケ曲を演奏するのときの動作を示すフローチャートである。同図（Ｃ）は同カラオケ装置が配信センタから定期的にメンテナンスを受けるときの動作を示すフローチャートである。
【００３２】
同図（Ａ）において、係員がこのカラオケ装置を設置する店舗等にこのカラオケ装置を持ち込んで所定場所に設置し、電話線を接続して、配信センタ９に電話をかける操作を行うとこの動作がスタートする。まず、上記係員の指示に従って配信センタ９に電話をかける（ｓ１）。そして、このカラオケ装置のＩＤ番号と現在このカラオケ装置のメディアに記憶している楽曲データのバージョンを配信センタ９に送信する（ｓ２）。配信センタは、このＩＤ番号を稼働カラオケ装置リストに登録する。配信センタ９は、上記受信したバージョンに応じて追加のデータをダウンロードする（ｓ３）。追加のデータは、上記バージョン以後のバージョンの新曲の楽曲データなどである。次に、このカラオケ装置が設置されている地域や設置形態などのデータを配信センタ９に送信し、配信センタ９からこの地域や設置形態などの条件に対応するアンプ設定データをダウンロードし（ｓ５）。前記ミキシングアンプ２のレジスタ３９にこれを設定する（ｓ６）。
【００３３】
同図（Ｂ）は演奏時の処理動作を示すフローチャートである。カラオケ装置の利用者からリクエストがあると、リクエストされた曲の楽曲データ，背景映像データを読み出してカラオケ演奏の準備を行う（ｓ１１）。準備が完了するとカラオケ曲の演奏をスタートする（ｓ１２）。演奏スタートののち、一定時間が経過すると（ｓ１３）、上記ボリューム３１の調整内容をチェックする（ｓ１４）。すなわち、インタフェース３０を介してボリューム３１の調整データを読み込む。演奏スタートののち、一定時間を待って設定内容をチェックするのは、利用者は曲がスタートしたのち演奏を聞きながら歌唱者や聴衆の好みにあうようにエコーや音量を調整することが多いため、この調整が決定してからその調整データをチェックしたほうが正確な値を取り込むことができるからである。上記一定時間は３０秒程度が適当である。このチェックで読み込んだ調整データをハードディスク１３に設定されているログ記録エリア１３ａに書き込む（ｓ１５）。このログは、次のメンテナンス時に配信センタ９に吸い上げられるまで蓄積記憶される。曲が終了するまでカラオケ曲の演奏を継続する（ｓ１６）。
【００３４】
同図（Ｃ）は、配信センタ９が定期的に行うメンテナンス時の動作を示すフローチャートである。このメンテナンスは配信センタ９からの電話を受信して実行される。配信センタ９からメンテナンスのための電話を受信すると（ｓ２１）、楽曲データの現在のバージョンを送信する（ｓ２２）。このバージョンの送信に対応して新たなバージョンの追加データがダウンロードされる（ｓ２３）。次に上記ボリューム３１の調整データログやカラオケ曲のリクエスト履歴などのログを配信センタ９に対してアップロードし（ｓ２４）、ログ記録エリア１３ａをクリアする（ｓ２５）。つぎに配信センタ９から新たなアンプ設定データがダウンロードされてくるため（ｓ２６）、これをミキシングアンプ２のレジスタ３９に設定する（ｓ２７）。
【００３５】
上記実施形態では、各カラオケ装置からログを収集した配信センタ９がこのログに基づいてミキシングアンプ２の標準的な設定値を決定し、この設定値がボリューム３１の中央（センタクリックの位置）になるようにアンプ設定データを生成してオンラインで設定するようにしているが、各カラオケ装置が利用者のボリューム操作の状態に応じて独自にアンプ設定データ（バイアスデータ）をメンテナンスできるようにしてもよい。図５は同機能を実現したカラオケ装置の動作を示すフローチャートである。この動作は１か月に１回程度の間隔で実行される。まず、ハードディスク１３に蓄積したログを読み出し（ｓ５１）、この内容を分析する（ｓ５２）。たとえば蓄積したデータの平均値を算出したり、ログ記録期間における設定値の変化傾向を関数化するなどの処理を行う。そして、この分析結果に基づいて新たなアンプ設定データを算出し（ｓ５３）、この新たな設定データをレジスタ３９に設定する（ｓ５４）。
【００３６】
以上の動作により、カラオケ装置が配信センタ９からアンプ設定データのダウンロードを受けなくても、自装置のログのみでローカルに設定データの更新を行うことができる。また、このローカル処理は１台のカラオケ装置毎に行ってもよく、複数台のカラオケ装置がＬＡＮなどのネットワークで接続されたカラオケボックスなどのネットワークで一括して行ってもよい。また、このローカルのメンテナンスと配信センタ９からのダウンロードで行うオンラインのメンテナンスとを併用してもよい。
【００３７】
また、上記アンプ設定データは直接ミキシングアンプ２のレジスタ３９に設定しているが、この場合レジスタはフラッシュメモリなどの不揮発性のメモリにしておけばよい。また、アンプ設定データをハードディスク１３に記憶しておき、装置の電源オン時にレジスタ３９に書き込むようにするようにしてもよい。この場合において、ハードディスク１３に複数種類のアンプ設定データを記憶しておき、場面に応じて設定を変更するようにしてもよい。たとえば、時間帯によって客層が変わる店舗であれば客層に合わせて複数種類のアンプ設定データを記憶しておき、その客層に合ったデータを設定するようにすればよい。
【００３８】
また、調整データのログにその調整されたカラオケ曲の曲番号を対応して記録しておくようにしてもよい。これにより、各曲毎にどのような設定が好まれているかを知ることができ、曲毎の設定変更や今後の楽曲データ作成時の参考にすることができる。
【００３９】
なお、上記実施形態では、調整操作子をアナログのボリューム３１で構成し、これをディジタル変換した値を制御に用いているが、ボリューム３１の端子から取り出される電位をそのまま用いるアナログ回路で構成してもよい。
【００４０】
また、上記実施形態では、ボリューム３１の操作データにアンプ設定データをバイアス値として加算しているが、アンプ設定データでボリューム３１を直接操作し、操作データそのものを変更するようにしてもよい。すなわち、ボリュームそのものをパルスモータなどで回転させて設定を変更してもよい。
【００４１】
また、アナログのボリューム３１は回転式のものであってもスライド式のものであってもよい。さらに、調整操作子を、操作量をパルス数などで検出できるエンコーダで構成してもよい。
【００４２】
また、上記実施形態では、ボリューム３１で調整でき、アンプ設定データでそのイニシャル設定値を変更するものを歌唱ゲイン、演奏ゲイン、歌唱エコーレベル、演奏エコーレベル、マスタゲインとしているが、本発明はこれに限定されない。たとえば、イコライザアンプなどの音質調整などに適用することができる。また、利用者に調整操作を開放していないが配信センタ９からオンラインで設定できる内容はエコー音質のみに限定されるものではない。
【００４３】
【発明の効果】
請求項１の発明によれば、補正データをセンタからダウンロードし、調整操作子の調整データをこの補正データで補正してカラオケ演奏音信号や歌唱音声信号を調整するため、カラオケ装置の設置場所に合わせた補正データをダウンロードすることにより、係員が手作業でカラオケ装置の設置場所に合わせた調整をする必要がなくなり、カラオケ装置設置時の作業を軽減することができるとともに、定期的なメンテナンスもオンラインで容易に行うことができるようになる。
【００４４】
請求項２の発明によれば、各カラオケ装置で調整操作子の調整データをログとして記録し、これをセンタに送信するようにしたことにより、センタにおいて各カラオケ装置の調整操作子の調整状態を容易に把握することができ、以後の補正データの割り出しの精度を向上することができる。
【００４５】
請求項３の発明によれば、調整操作子の調整データをログとして記録し、これに基づいて新たな調整データを割り出して再設定するようにしたことにより、利用者の好みの変化に追従することができるとともに、最初の調整データにずれがあった場合でもこれを自動的に的確に変更することが可能になる。
【図面の簡単な説明】
【図１】この発明の実施形態であるカラオケ装置のブロック図
【図２】同カラオケ装置のプリアンプ部の構成を示すブロック図
【図３】同カラオケ装置をメンテナンスする配信センタに設定される稼働カラオケ装置登録リストおよびアンプ設定データテーブルの構成を示す図
【図４】同カラオケ装置の動作を示すフローチャート
【図５】同カラオケ装置がローカルにアンプ設定データのメンテナンスを行う場合の動作を示すフローチャート
【符号の説明】
２…ミキシングアンプ、９…配信センタ、１３…ハードディスク、
３１…ボリューム、３９…レジスタ、３３〜３７…加算器、
４０，４２，４５…アンプ、４１，４３…エコー回路
【図１】
0004016469.tif 000002
【図２】
0004016469.tif 000003
【図３】
0004016469.tif 000004
【図４】
0004016469.tif 000005
【図５】
0004016469.tif 000006